(57)【要約】【課題】液晶表示装置および電子機器において、鮮やかな着色表現により、液晶表示を行うことを可能にする。【解決手段】一対の基板の間に液晶を挟持した液晶セル１３の視認側である上面に透過型偏光板１４を貼付し、また、その液晶セル１３の視認側と反対側である下面に半透過反射板付偏光板１６を貼付するとともに、その透過型偏光板１４或いは半透過反射板付偏光板１６の何れかに貼り合わせるカラー偏光板１５の透過軸を、貼り合わされる透過型偏光板１４或いは半透過反射板付偏光板１６の透過軸と異なるように配置し、また、半透過反射板付偏光板１６の視認側と反対側に、カラー偏光板１５の特定色と同系色の発光光を出力するバックライト１７を配置する構成にした。【選択図】　　図２
2004117819.tif 000002
【特許請求の範囲】
【請求項１】
一対の基板の間に液晶を挟持した液晶セルと、
前記液晶セルの視認側に配置された第１の偏光板と、
前記液晶セルの視認側と反対側に配置された第２の偏光板と、
前記第１の偏光板或いは前記第２の偏光板の何れかに貼り合わされた前記第１の偏光板或いは前記第２の偏光板の透過軸と異なる透過軸を有するカラー偏光板と、
前記第２の偏光板の視認側と反対側に配置されたバックライトと、
を備えており、
前記カラー偏光板の色と前記バックライトの発光光の色とは同系色となっていることを特徴とする液晶表示装置。
【請求項２】
前記液晶セルにおける電圧印加部は、前記カラー偏光板の位相が光透過とされ、前記カラー偏光板と貼り合わせられた前記第１の偏光板又は前記第２の偏光板の位相が光遮断とされるとともに、前記液晶セルにおける非電圧印加部は、前記カラー偏光板の位相が光遮断とされ、前記カラー偏光板と貼り合わせられた前記第１の偏光板又は前記第２の偏光板の位相が光透過とされることを特徴とする請求項１に記載の液晶表示装置。
【請求項３】
前記液晶セルにおける電圧印加部は、前記カラー偏光板の位相が光遮断とされ、前記カラー偏光板と貼り合わせられた前記第１の偏光板又は前記第２の偏光板の位相が光透過とされるとともに、前記液晶セルにおける非電圧印加部は、前記カラー偏光板の位相が光透過とされ、前記カラー偏光板と貼り合わせられた前記第１の偏光板又は前記第２の偏光板の位相が光遮断とされることを特徴とする請求項１に記載の液晶表示装置。
【請求項４】
前記第１の偏光板は、透過型偏光板であり、
前記第２の偏光板は、半透過反射板付偏光板であることを特徴とする請求項１〜３の何れか一項に記載の液晶表示装置。
【請求項５】
前記第１の偏光板および第２の偏光板は、透過型偏光板であり、
前記第２の偏光板又は前記カラー偏光板と、前記バックライトとの間に半透過反射板又はメッシュパネルが配置されていることを特徴とする請求項１〜３の何れか一項に記載の液晶表示装置。
【請求項６】
前記カラー偏光板は、前記第２の偏光板の前記液晶セルと反対側に貼り付けられていることを特徴とする請求項５に記載の液晶表示装置。
【請求項７】
一対の基板の間に液晶を挟持した液晶セルと、
前記液晶セルの視認側に配置された偏光板と、
前記液晶セルの視認側と反対側に配置された第１のカラー偏光板と、
前記第１のカラー偏光板の視認側と反対側に貼り合わせられ、第１のカラー偏光板と異なる波長の偏光能を有する第２のカラー偏光板と、
前記第２のカラー偏光板の視認側と反対側に配置されたバックライトと、
を備えており、
前記第１のカラー偏光板の透過軸と前記第２のカラー偏光板の透過軸とが異なり、
前記バックライトは、前記第１のカラー偏光板と前記第２のカラー偏光板の何れか一方の色と同系色の色を発光することを特徴とする液晶表示装置。
【請求項８】
前記第２のカラー偏光板と、前記バックライトとの間に半透過反射板又はメッシュパネルが配置されていることを特徴とする請求項７に記載の液晶表示装置。
【請求項９】
一対の基板の間に液晶を挟持した液晶セルと、
前記液晶セルの視認側に配置された第１のカラー偏光板と、
前記第１のカラー偏光板の視認側に貼り合わせられ、第１のカラー偏光板と異なる波長の偏光能を有する第２のカラー偏光板と、
前記液晶セルの視認側と反対側に配置された偏光板と、
前記偏光板の視認側と反対側に配置されたバックライトと、
を備えており、
前記第１のカラー偏光板の透過軸と前記第２のカラー偏光板の透過軸とが異なり、
前記バックライトは、前記第１のカラー偏光板と前記第２のカラー偏光板の何れか一方の色と同系色の色を発光することを特徴とする液晶表示装置。
【請求項１０】
前記偏光板は、半透過反射板付偏光板であることを特徴とする請求項９に記載の液晶表示装置。
【請求項１１】
前記偏光板は、透過型偏光板であり、前記偏光板と、前記バックライトとの間に半透過反射板又はメッシュパネルが配置されていることを特徴とする請求項９に記載の液晶表示装置。
【請求項１２】
前記バックライトは、前記第１のカラー偏光板の色と前記第２のカラー偏光板の色とを切り替えて発光することを特徴とする請求項７〜１１の何れか一項に記載の液晶表示装置。
【請求項１３】
前記液晶セルにおける電圧印加部は、前記第１のカラー偏光板の位相が光透過とされ、前記第２のカラー偏光板の位相が光遮断とされるとともに、前記液晶セルにおける非電圧印加部は、前記第１のカラー偏光板の位相が光遮断とされ、前記第２のカラー偏光板の位相が光透過とされることを特徴とする請求項７〜１２の何れか一項に記載の液晶表示装置。
【請求項１４】
前記液晶セルにおける電圧印加部は、前記第１のカラー偏光板の位相が光遮断とされ、前記第２のカラー偏光板の位相が光透過とされるとともに、前記液晶セルにおける非電圧印加部は、前記第１のカラー偏光板の位相が光透過とされ、前記第２のカラー偏光板の位相が光遮断とされることを特徴とする請求項７〜１２の何れか一項に記載の液晶表示装置。
【請求項１５】
一対の基板の間に液晶を挟持した液晶セルと、
前記液晶セルの視認側に配置された第１の透過型偏光板と、
前記液晶セルの視認側と反対側に配置された第２の透過型偏光板と、
前記第１の透過型偏光板或いは前記第２の透過型偏光板の何れかに貼り合わされた前記第１の透過型偏光板或いは前記第２の透過型偏光板の透過軸と異なる透過軸を有するカラー偏光板と、
前記第２の透過型偏光板の視認側と反対側に配置されたメッシュパネルと、
前記メッシュパネルの視認側と反対側に配置されたバックライトと、
を備えていることを特徴とする液晶表示装置。
【請求項１６】
請求項１から請求項１５の何れか一項に記載の液晶表示装置を機器ケースに配置したことを特徴とする電子機器。
【発明の詳細な説明】
【０００１】
【発明の属する技術分野】
本発明は、腕時計、携帯電話機、自動車の計器類などの各種の機器に適用される液晶表示装置及び電子機器に関する。
【０００２】
【従来の技術】
従来の腕時計等に備えられた液晶表示装置において、太陽光などの外光を利用した反射型液晶表示を行うとともに、周囲が暗くなった際に、内部に備えたバックライトを点灯させることによって透過型液晶表示を行う半透過反射型の液晶表示装置が知られている。
液晶表示装置は、偏光板に挟まれた液晶の配向性を利用し、光の透過／非透過を切り替えることによる、白色（明）／黒色（暗）表示を行うものが一般的であるが、液晶表示装置に色フィルタを備え、着色表示を行う構成にしたものが知られている（例えば、特許文献１参照。）。
また、液晶表示装置にカラー偏光板を備え、着色表示を行う構成にしたものが知られている（例えば、特許文献１、特許文献２参照。）。
【０００３】
【特許文献１】
特許第３１０７４００号公報
【特許文献２】
特開２００１−８３５０３号公報
【０００４】
【発明が解決しようとする課題】
しかしながら、特許文献１のように、液晶表示装置に色フィルタを備え、白色（明）表示される部分に着色を行う場合、濃い色のデザインを実現するため、濃い色の色フィルタを備えると、バックライトに基づく発光光の透過率を確保することが困難となる問題があった。また、液晶表示装置において、黒色（暗）表示される部分にもその色フィルタにより色が被らされるため、黒色（暗）表示がぼやけ、シャープさに欠けるという問題があった。
また、特許文献２のように、液晶表示装置にカラー偏光板を備え、着色表示を行う場合、バックライトに基づく発光光のうち、カラー偏光板特有の色成分以外の発光光が遮断されるため、着色表示するための光量が少なく、鮮やかな着色表現することが困難である問題があった。
【０００５】
本発明の課題は、鮮やかな着色表現により、液晶表示を行うことができる液晶表示装置および電子機器を提供することである。
【０００６】
【課題を解決するための手段】
本発明は、上記の課題を解決するため、以下の様な構成要素を備えている。なお、以下に示す構成要素には、括弧書きにより実施の形態に対応する構成及び図面参照符号を記す。
請求項１記載の発明は、
一対の基板の間に液晶を挟持した液晶セル（例えば、液晶セル１３）と、
前記液晶セルの視認側に配置された第１の偏光板（例えば、透過型偏光板１４、第１の透過型偏光板１４ａ等）と、
前記液晶セルの視認側と反対側に配置された第２の偏光板（例えば、半透過反射板付偏光板１６、第２の透過型偏光板１４ｂ等）と、
前記第１の偏光板或いは前記第２の偏光板の何れかに貼り合わされた前記第１の偏光板或いは前記第２の偏光板の透過軸と異なる透過軸を有するカラー偏光板（例えば、カラー偏光板１５）と、
前記第２の偏光板の視認側と反対側に配置されたバックライト（例えば、バックライト１７、ＥＬ素子１８、ＬＥＤ１９と導光板２０、紫外線発光素子２２と導光板２４と発光体２３等）と、
を備えており、
前記カラー偏光板の色と前記バックライトの発光光の色とは同系色となっていることを特徴とする。
【０００７】
請求項１記載の発明によれば、バックライトの発光光が、第２の偏光板、液晶セル、第１の偏光板及び第１の偏光板或いは第２の偏光板の何れかに貼り合わされたカラー偏光板を介し、視認側へ到達する際に、第２の偏光板、液晶セル、第１の偏光板、カラー偏光板の相互作用により、前記バックライトの発光光のうち、カラー偏光板特有の色に基づく着色光が到達することとなる。よって、カラー偏光板の色に基づく着色光により、着色表現可能な液晶表示を行うことができる。
特に、カラー偏光板の色とバックライトの色とは同系色となっているので、高効率でバックライトの発光光が視認側へ到達することができる。よって、より光量の多い着色光により、鮮やかな着色表現を行うことができる。
【０００８】
請求項２記載の発明は、請求項１に記載の液晶表示装置において、
前記液晶セルにおける電圧印加部（例えば、ＬＣＤ表示部１０ａ）は、前記カラー偏光板の位相が光透過とされ、前記カラー偏光板と貼り合わせられた前記第１の偏光板又は前記第２の偏光板の位相が光遮断とされるとともに、前記液晶セルにおける非電圧印加部（例えば、ＬＣＤ非表示部１０ｂ、ＬＣＤ背景部１０ｃ）は、前記カラー偏光板の位相が光遮断とされ、前記カラー偏光板と貼り合わせられた前記第１の偏光板又は前記第２の偏光板の位相が光透過とされることを特徴とする。
【０００９】
請求項２記載の発明によれば、請求項１記載の発明と同様の効果が得られることは無論のこと、特に、液晶セルにおける電圧印加部と非電圧印加部との切り替えを行うことにより、電圧印加部において液晶表示装置における暗表示である黒色表示を行い、非電圧印加部において液晶表示装置における明表示であるカラー偏光板の色に基づく着色表示を行うように、液晶表示を行うことができる。
よって、例えば、カラー偏光板の色に基づく鮮明な着色背景に、シャープな黒色の文字、図形等の表示を行うことができ、趣向性に富んだ着色表現を行うことができる。
【００１０】
請求項３記載の発明は、請求項１に記載の液晶表示装置において、
前記液晶セルにおける電圧印加部（例えば、ＬＣＤ表示部１０ａ）は、前記カラー偏光板の位相が光遮断とされ、前記カラー偏光板と貼り合わせられた前記第１の偏光板又は前記第２の偏光板の位相が光透過とされるとともに、前記液晶セルにおける非電圧印加部（例えば、ＬＣＤ非表示部１０ｂ、ＬＣＤ背景部１０ｃ）は、前記カラー偏光板の位相が光透過とされ、前記カラー偏光板と貼り合わせられた前記第１の偏光板又は前記第２の偏光板の位相が光遮断とされることを特徴とする。
【００１１】
請求項３記載の発明によれば、請求項１記載の発明と同様の効果が得られることは無論のこと、特に、液晶セルにおける電圧印加部と非電圧印加部との切り替えを行うことにより、電圧印加部において液晶表示装置における明表示であるカラー偏光板の色に基づく着色表示を行い、非電圧印加部において液晶表示装置における暗表示である黒色表示を行うように、液晶表示を行うことができる。
よって、例えば、黒色背景に、カラー偏光板の色に基づく鮮明な色の文字、図形等の表示を行うことができ、趣向性に富んだ着色表現を行うことができる。
【００１２】
請求項４記載の発明は、請求項１〜３の何れか一項に記載の液晶表示装置において、
前記第１の偏光板は、透過型偏光板（例えば、透過型偏光板１４）であり、
前記第２の偏光板は、半透過反射板付偏光板（例えば、半透過反射板付偏光板１６）であることを特徴とする。
【００１３】
請求項４記載の発明によれば、請求項１〜３の何れか一項に記載の発明と同様の効果が得られることは無論のこと、特に、第１の偏光板は透過型偏光板であり、第２の偏光板は半透過反射板付偏光板であるので、この液晶表示装置は、バックライトを利用する透過型液晶表示と、太陽光などの外光を利用する反射型液晶表示とが可能な、半透過反射型の液晶表示装置とすることができる。
よって、バックライトによるカラー偏光板の色に基づく着色表現を行うとともに、外光を利用してカラー偏光板の色に基づく着色表現を行うことができ、より光量の多い着色光により、鮮やかな着色表現による液晶表示を行うことができる。
また、バックライトによるカラー偏光板の色に基づく着色表現と、外光を利用してカラー偏光板の色に基づく着色表現と、をほぼ同じにすることができ、より趣向性に富んだ着色表現を実現できる。
【００１４】
請求項５記載の発明は、請求項１〜３の何れか一項に記載の液晶表示装置において、
前記第１の偏光板および第２の偏光板は、透過型偏光板（例えば、第１の透過型偏光板１４ａ、第２の透過型偏光板１４ｂ）であり、
前記第２の偏光板又は前記カラー偏光板と、前記バックライトとの間に半透過反射板（例えば、半透過反射板３１）又はメッシュパネル（例えば、メッシュパネル３２）が配置されていることを特徴とする。
【００１５】
請求項５記載の発明によれば、請求項１〜３の何れか一項に記載の発明と同様の効果が得られることは無論のこと、特に、第１の偏光板および第２の偏光板は、透過型偏光板であり、第２の偏光板又はカラー偏光板と、バックライトとの間に半透過反射板又はメッシュパネルが配置されているので、この液晶表示装置は、バックライトを利用する透過型液晶表示と、太陽光などの外光を利用する反射型液晶表示とが可能な、半透過反射型の液晶表示装置とすることができる。
よって、バックライトによるカラー偏光板の色に基づく着色表現を行うとともに、外光を利用してカラー偏光板の色に基づく着色表現を行うことができ、より光量の多い着色光により、鮮やかな着色表現による液晶表示を行うことができる。
また、バックライトによるカラー偏光板の色に基づく着色表現と、外光を利用してカラー偏光板の色に基づく着色表現と、ほぼ同じにすることができ、より趣向性に富んだ着色表現を実現できる。
【００１６】
請求項６記載の発明は、請求項５に記載の液晶表示装置において、
前記カラー偏光板は、前記第２の偏光板の前記液晶セルと反対側に貼り付けられていることを特徴とする。
【００１７】
請求項６記載の発明によれば、請求項５に記載の発明と同様の効果が得られることは無論のこと、特に、カラー偏光板は、第２の偏光板の液晶セルと反対側に貼り付けられているので、例えば、黒色表示をカラー偏光板を透過することなくできることとなって、より鮮明な黒色表現による液晶表示を行うことができる。
【００１８】
請求項７記載の発明は、
一対の基板の間に液晶を挟持した液晶セル（例えば、液晶セル１３）と、
前記液晶セルの視認側に配置された偏光板（例えば、透過型偏光板１４）と、前記液晶セルの視認側と反対側に配置された第１のカラー偏光板（例えば、第１のカラー偏光板１５ａ）と、
前記第１のカラー偏光板の視認側と反対側に貼り合わせられ、第１のカラー偏光板と異なる波長の偏光能を有する第２のカラー偏光板（例えば、第２のカラー偏光板１５ｂ）と、
前記第２のカラー偏光板の視認側と反対側に配置されたバックライト（例えば、バックライト１７ａ、２色発光ＬＥＤ１９ａと導光板２０、第１のＬＥＤ１９ｂと第２のＬＥＤ１９ｃと導光板２０、第１の紫外線発光素子２２ａと第２の紫外線発光素子２２ｂと導光板２４と第１の発光体２３ａと第２の発光体２３ｂ、ＬＥＤ１９と紫外線発光素子２２と発光体２３と導光板２４等）と、
を備えており、
前記第１のカラー偏光板の透過軸と前記第２のカラー偏光板の透過軸とが異なり、
前記バックライトは、前記第１のカラー偏光板と前記第２のカラー偏光板の何れか一方の色と同系色の色を発光することを特徴とする。
【００１９】
請求項７記載の発明によれば、バックライトの発光光が、第２のカラー偏光板、第１のカラー偏光板、液晶セル及び偏光板を介し、視認側へ到達する際に、第２のカラー偏光板、第１のカラー偏光板、液晶セル、偏光板の相互作用により、前記バックライトの発光光のうち、第１のカラー偏光板や第２のカラー偏光板の色に基づく着色光が到達することとなる。よって、第１のカラー偏光板や第２のカラー偏光板の色に基づく着色光により、着色表現可能な液晶表示を行うことができる。
特に、バックライトは、第１のカラー偏光板と第２のカラー偏光板の何れか一方の色と同系色の色を発光するので、高効率でバックライトの発光光が視認側へ到達することができる。よって、より光量の多い着色光により、鮮やかな着色表現を行うことができる。
【００２０】
請求項８記載の発明は、請求項７に記載の液晶表示装置において、
前記第２のカラー偏光板と、前記バックライトとの間に半透過反射板（例えば、半透過反射板３１）又はメッシュパネル（例えば、メッシュパネル３２）が配置されていることを特徴とする。
【００２１】
請求項８記載の発明によれば、請求項７に記載の発明と同様の効果が得られることは無論のこと、特に、第２のカラー偏光板と、バックライトとの間に半透過反射板又はメッシュパネルが配置されているので、この液晶表示装置は、バックライトを利用する透過型液晶表示と、太陽光などの外光を利用する反射型液晶表示とが可能な、半透過反射型の液晶表示装置とすることができる。
よって、バックライトによるカラー偏光板の色に基づく着色表現を行うとともに、外光を利用してカラー偏光板の色に基づく着色表現を行うことができ、より光量の多い着色光により、鮮やかな着色表現による液晶表示を行うことができる。
【００２２】
請求項９記載の発明は、
一対の基板の間に液晶を挟持した液晶セル（例えば、液晶セル１３）と、
前記液晶セルの視認側に配置された第１のカラー偏光板（例えば、第１のカラー偏光板１５ａ）と、
前記第１のカラー偏光板の視認側に貼り合わせられ、第１のカラー偏光板と異なる波長の偏光能を有する第２のカラー偏光板（例えば、第２のカラー偏光板１５ｂ）と、
前記液晶セルの視認側と反対側に配置された偏光板（例えば、透過型偏光板１４、半透過反射板付偏光板１６等）と、
前記偏光板の視認側と反対側に配置されたバックライト（例えば、バックライト１７ａ、２色発光ＬＥＤ１９ａと導光板２０、第１のＬＥＤ１９ｂと第２のＬＥＤ１９ｃと導光板２０、第１の紫外線発光素子２２ａと第２の紫外線発光素子２２ｂと導光板２４と第１の発光体２３ａと第２の発光体２３ｂ、ＬＥＤ１９と紫外線発光素子２２と発光体２３と導光板２４等）と、
を備えており、
前記第１のカラー偏光板の透過軸と前記第２のカラー偏光板の透過軸とが異なり、
前記バックライトは、前記第１のカラー偏光板と前記第２のカラー偏光板の何れか一方の色と同系色の色を発光することを特徴とする。
【００２３】
請求項９記載の発明によれば、バックライトの発光光が、偏光板、液晶セル、第１のカラー偏光板及び第２のカラー偏光板を介し、視認側へ到達する際に、偏光板、液晶セル、第１のカラー偏光板、第２のカラー偏光板の相互作用により、前記バックライトの発光光のうち、第１のカラー偏光板や第２のカラー偏光板の色に基づく着色光が到達することとなる。よって、第１のカラー偏光板や第２のカラー偏光板の色に基づく着色光により、着色表現可能な液晶表示を行うことができる。
特に、バックライトは、第１のカラー偏光板と第２のカラー偏光板の何れか一方の色と同系色の色を発光するので、高効率でバックライトの発光光が視認側へ到達することができる。よって、より光量の多い着色光により、鮮やかな着色表現を行うことができる。
【００２４】
請求項１０記載の発明は、請求項９に記載の液晶表示装置において、
前記偏光板は、半透過反射板付偏光板（例えば、半透過反射板付偏光板１６）であることを特徴とする。
【００２５】
請求項１０記載の発明によれば、請求項９記載の発明と同様の効果が得られることは無論のこと、特に、偏光板は半透過反射板付偏光板であるので、この液晶表示装置は、バックライトを利用する透過型液晶表示と、太陽光などの外光を利用する反射型液晶表示とが可能な、半透過反射型の液晶表示装置とすることができる。
よって、バックライトによるカラー偏光板の色に基づく着色表現を行うとともに、外光を利用してカラー偏光板の色に基づく着色表現を行うことができ、より光量の多い着色光により、鮮やかな着色表現による液晶表示を行うことができる。
【００２６】
請求項１１記載の発明は、請求項９に記載の液晶表示装置において、
前記偏光板は、透過型偏光板（例えば、透過型偏光板１４）であり、前記偏光板と、前記バックライトとの間に半透過反射板（例えば、半透過反射板３１）又はメッシュパネル（例えば、メッシュパネル３２）が配置されていることを特徴とする。
【００２７】
請求項１１記載の発明によれば、請求項９記載の発明と同様の効果が得られることは無論のこと、特に、偏光板は透過型偏光板であり、その偏光板と、バックライトとの間に半透過反射板又はメッシュパネルが配置されているので、この液晶表示装置は、バックライトを利用する透過型液晶表示と、太陽光などの外光を利用する反射型液晶表示とが可能な、半透過反射型の液晶表示装置とすることができる。
よって、バックライトによるカラー偏光板の色に基づく着色表現を行うとともに、外光を利用してカラー偏光板の色に基づく着色表現を行うことができ、より光量の多い着色光により、鮮やかな着色表現による液晶表示を行うことができる。
【００２８】
請求項１２記載の発明は、請求項７〜１１の何れか一項に記載の液晶表示装置において、
前記バックライトは、前記第１のカラー偏光板の色と前記第２のカラー偏光板の色とを切り替えて発光することを特徴とする。
【００２９】
請求項１２記載の発明によれば、請求項７〜１１の何れか一項に記載の発明と同様の効果が得られることは無論のこと、特に、バックライトは、第１のカラー偏光板の色と第２のカラー偏光板の色とを切り替えて発光するので、第１のカラー偏光板の色と、第２のカラー偏光板の色との着色表示の切り替えを行うことができる。
【００３０】
請求項１３記載の発明は、請求項７〜１２の何れか一項に記載の液晶表示装置において、
前記液晶セルにおける電圧印加部（例えば、ＬＣＤ表示部１０ａ）は、前記第１のカラー偏光板の位相が光透過とされ、前記第２のカラー偏光板の位相が光遮断とされるとともに、前記液晶セルにおける非電圧印加部（例えば、ＬＣＤ非表示部１０ｂ、ＬＣＤ背景部１０ｃ）は、前記第１のカラー偏光板の位相が光遮断とされ、前記第２のカラー偏光板の位相が光透過とされることを特徴とする。
【００３１】
請求項１３記載の発明によれば、請求項７〜１２の何れか一項に記載の発明と同様の効果が得られることは無論のこと、特に、液晶セルにおける電圧印加部と非電圧印加部との切り替えを行うことにより、電圧印加部において、第２のカラー偏光板の色に基づく着色表示を行うように、液晶表示を行うことができるとともに、非電圧印加部において、第１のカラー偏光板の色に基づく着色表示を行うように、液晶表示を行うことができる。
よって、例えば、第１のカラー偏光板の色に基づく着色背景に、第２のカラー偏光板の色に基づく色の文字、図形等の表示を行うことができ、趣向性に富んだ着色表現を行うことができる。
【００３２】
請求項１４記載の発明は、請求項７〜１２の何れか一項に記載の液晶表示装置において、
前記液晶セルにおける電圧印加部（例えば、ＬＣＤ表示部１０ａ）は、前記第１のカラー偏光板の位相が光遮断とされ、前記第２のカラー偏光板の位相が光透過とされるとともに、前記液晶セルにおける非電圧印加部（例えば、ＬＣＤ非表示部１０ｂ、ＬＣＤ背景部１０ｃ）は、前記第１のカラー偏光板の位相が光透過とされ、前記第２のカラー偏光板の位相が光遮断とされることを特徴とする。
【００３３】
請求項１４記載の発明によれば、請求項７〜１２の何れか一項に記載の発明と同様の効果が得られることは無論のこと、特に、液晶セルにおける電圧印加部と非電圧印加部との切り替えを行うことにより、電圧印加部において、第１のカラー偏光板の色に基づく着色表示を行うように、液晶表示を行うことができるとともに、非電圧印加部において、第２のカラー偏光板の色に基づく着色表示を行うように、液晶表示を行うことができる。
よって、例えば、第２のカラー偏光板の色に基づく着色背景に、第１のカラー偏光板の色に基づく色の文字、図形等の表示を行うことができ、趣向性に富んだ着色表現を行うことができる。
【００３４】
請求項１５記載の発明は、
一対の基板の間に液晶を挟持した液晶セル（例えば、液晶セル１３）と、
前記液晶セルの視認側に配置された第１の透過型偏光板（例えば、第１の透過型偏光板１４ａ）と、
前記液晶セルの視認側と反対側に配置された第２の透過型偏光板（例えば、第２の透過型偏光板１４ｂ）と、
前記第１の透過型偏光板或いは前記第２の透過型偏光板の何れかに貼り合わされた前記第１の透過型偏光板或いは前記第２の透過型偏光板の透過軸と異なる透過軸を有するカラー偏光板（例えば、カラー偏光板１５）と、
前記第２の透過型偏光板の視認側と反対側に配置されたメッシュパネル（例えば、メッシュパネル３２）と、
前記メッシュパネルの視認側と反対側に配置されたバックライト（例えば、バックライト１７）と、
を備えていることを特徴とする。
【００３５】
請求項１５記載の発明によれば、バックライトの発光光が、メッシュパネル、第２の透過型偏光板、液晶セル、第１の透過型偏光板及び第１の透過型偏光板或いは第２の透過型偏光板の何れかに貼り合わされたカラー偏光板を介し、視認側へ到達する際に、第２の透過型偏光板、液晶セル、第１の透過型偏光板、カラー偏光板の相互作用により、前記バックライトの発光光のうち、カラー偏光板の色に基づく着色光が到達することとなる。よって、カラー偏光板の色に基づく着色光により、着色表現可能な液晶表示を行うことができる。
また、備えられたメッシュパネルにより、バックライトを利用する透過型液晶表示と、太陽光などの外光を反射し利用する反射型液晶表示とを、金属感のある鮮やかな着色表現にすることができる。
【００３６】
請求項１６記載の発明は、請求項１から請求項１５の何れか一項に記載の液晶表示装置（例えば、時計モジュール１）を機器ケース（例えば、時計ケース２）に配置したことを特徴とする電子機器（例えば、腕時計１００，２００）。
【００３７】
請求項１６記載の発明によれば、様々な偏光板が備えられた液晶セルやバックライト等が配置された液晶表示装置を機器ケースに配置することにより、様々な電子機器に鮮やかな着色表現や、趣向性に富んだ着色表現が可能な液晶表示機能を付与することができる。
【００３８】
【発明の実施の形態】
以下、図を参照して本発明に係る液晶表示装置を電子機器としての腕時計に適用した実施の形態を詳細に説明する。
〔第１の実施の形態〕
図１は本発明の腕時計を示した平面図であり、図２は図１のＩＩ−ＩＩ線における要部の拡大断面図である。
図１、２に示すように、電子機器である腕時計１００には、デジタル表示機能を備えた液晶表示装置である時計モジュール１を内部に収納する機器ケースとしての時計ケース２が備えられ、時計ケース２の上部中央には時計ガラス３がパッキン４を介して装着されている。さらに、この時計ケース２の下面には、裏蓋５が防水リング６を介して取り付けられている。また、この時計ケース２の上部外周にはベゼル７が設けられている。更に、時計ケース２には、バンド軸２Ａを介し、時計バンドＢが取り付けられている。
【００３９】
時計モジュール１には、図２に示すように、上部ハウジング１ａと下部ハウジング１ｂとが備えられ、上部ハウジング１ａと下部ハウジング１ｂとの間に回路基板８が配置されている。
上部ハウジング１ａには、液晶表示素子１０、液晶表示素子１０を駆動させるためのＬＣＤ駆動部１１等が備えられており、下部ハウジング１ｂには、例えば、ＬＣＤ駆動部１１を動作させるための電源である電池１２が組み込まれている。
これら液晶表示素子１０、ＬＣＤ駆動部１１、電池１２等は、回路基板８を介し電気的に接続されている。
【００４０】
液晶表示素子１０は、例えば、上板ガラス１３ａと下板ガラス１３ｂとの間に、図示しない上下一対の透明な電極間に液晶が備えられた液晶層を封止した液晶セル１３と、液晶セル１３の視認側である上面に貼付された透過型偏光板１４と、液晶セル１３の下面に貼付されたカラー偏光板１５と、そのカラー偏光板１５の下面に貼付された半透過反射板付偏光板１６と、により構成されている。なお、液晶には、例えば、ツイスト角が９０度のツイストネマティック（ＴＮ）液晶を使用する。
そして、この液晶表示素子１０は、液晶セル１３における図示しない一対の透明な電極間に電圧を印加した状態に応じて、例えば、図１に示すように、時刻や日時などの情報を表示するように構成されているものである。
また、液晶表示素子１０の下面側には、光源であるバックライト１７が配置されている。バックライト１７としては、後述するＥＬ（エレクトロルミネッセンス）素子１８、ＬＥＤ（ライトエミッティングダイオード）１９と導光板２０の組み合わせ、紫外線発光素子２２と発光体２３が備えられた導光板２４の組み合わせ、等を利用することができる。
【００４１】
次に、時計モジュール１の液晶表示素子１０における、表示機能、表示パターンの一例について説明する。
図３は、図２の時計モジュール１における液晶表示素子１０と、バックライト１７との構成を示す拡大断面図である。
図３に示されるように、液晶表示素子１０は、液晶セル１３と、液晶セル１３の視認側である上面に貼付された透過型偏光板１４と、液晶セル１３の下面に貼付されたカラー偏光板１５と、そのカラー偏光板１５の下面に貼付された半透過反射板付偏光板１６と、により構成されている。
【００４２】
透過型偏光板１４、半透過反射板付偏光板１６は、その偏光板特有の透過軸に平行な振動方向に振動する光のみ透過することができる仕組みを有している。
また、カラー偏光板１５は、特定の色（波長）の光は全て透過し、その他の色（波長）の光については、そのカラー偏光板特有の透過軸に平行な振動方向に振動する光のみ透過することができる仕組みを有している。
ここで、偏光板を透過する、偏光板特有の透過軸に平行な振動方向に振動する光のことを「偏光」という。
なお、半透過反射板付偏光板１６は、偏光板（図示省略）の下面に半透過反射板（図示省略）を貼り合わせたものであって、偏光板に入射した光のうち、偏光板を透過した偏光を半透過反射板により、反射する機能を有している。また、半透過反射板付偏光板１６は、半透過反射板の下面側から入射した光を偏光板に透過する機能を有している。
【００４３】
この液晶表示素子１０において、透過型偏光板１４の透過軸と、半透過反射板付偏光板１６の透過軸とが異なるように、例えば、それぞれの透過軸が９０度の角度をなすように、透過型偏光板１４と半透過反射板付偏光板１６が配置されている。つまり、この液晶表示素子１０は、液晶セル１３における図示しない電極に電圧を印加しない通常状態において、透過型偏光板１４を透過した偏光がＴＮ型の液晶セル１３により、９０度ツイストされた後、半透過反射板付偏光板１６に入射される。入射された偏光は半透過反射板付偏光板１６の偏光板を透過して、半透過反射板付偏光板１６の半透過反射板により反射される。従って、液晶表示素子１０を視認した際、その画面が白く見える「ノーマリーホワイト」の配置となっている。
また、カラー偏光板１５の透過軸と、そのカラー偏光板１５に貼付された半透過反射板付偏光板１６の透過軸とが異なるように、例えば、それぞれの透過軸が９０度の角度をなすように、カラー偏光板１５と半透過反射板付偏光板１６が配置されている。即ち、例えば、液晶セル１３における電圧印加部を透過した光は、カラー偏光板１５が光透過となり、半透過反射板付偏光板１６は光遮断となる。また、液晶セル１３における非電圧印加部を透過した光は、カラー偏光板１５が光遮断となり、半透過反射板付偏光板１６が光透過となっている。
【００４４】
このような液晶表示素子１０において、透過型偏光板１４が配置された視認側から、太陽光や室内灯などの外光が入射すると、その外光は、透過型偏光板１４、液晶セル１３、カラー偏光板１５、の順に透過し、半透過反射板付偏光板１６に達する。
この際、液晶セル１３における電圧印加部（例えば、図１のＬＣＤ表示部１０ａ・・・）において、透過型偏光板１４を透過した外光に基づく偏光はそのまま電圧印加部を透過し、カラー偏光板１５に到達する。カラー偏光板１５に到達した偏光は、カラー偏光板１５を透過し、半透過反射板付偏光板１６の偏光板により遮断される。よって、電圧印加部に対応した位置は、黒色に視認側から視認されることとなる。従って、例えば、図１、図９に示す、液晶セル１３における電圧印加部であるＬＣＤ表示部１０ａ・・・は、黒色により表示されることとなる。
【００４５】
一方、液晶セル１３における非電圧印加部（例えば、図１のＬＣＤ非表示部１０ｂ・・・、ＬＣＤ背景部１０ｃ）において、透過型偏光板１４を透過した外光に基づく偏光は液晶セル１３により９０度ツイストされて、カラー偏光板１５に到達する。９０度ツイストされた偏光は、カラー偏光板１５により、特定色の光以外の光が遮断とされ、特定色の光のみが半透過反射板付偏光板１６に到達する。
そして、半透過反射板付偏光板１６の偏光板により、特定色の光が透過され、半透過反射板付偏光板１６の半透過反射板により、視認側に反射され、その特定色が視認側から視認されることとなる。従って、例えば、図１、図９に示す、液晶セル１３における非電圧印加部であるＬＣＤ非表示部１０ｂ・・・と、ＬＣＤ背景部１０ｃとは、そのカラー偏光板１５の特定色により表示されることとなる。
【００４６】
次に、前述の液晶表示素子１０において、視認側の反対側に配置されたバックライト１７から出射されたライト光が、視認側に透過する際の状態について説明する。
バックライト１７は、カラー偏光板１５の特定色と同系色の光を発光するようにしている。ここで、同系色とは同じ色調を有する色のことであり、同系色の光とは、その光を構成する主な波長域やその波長域の構成割合が類似した光のことである。
バックライト１７が発光し、バックライト１７からライト光が出射されると、そのライト光は、半透過反射板付偏光板１６、カラー偏光板１５、液晶セル１３、透過型偏光板１４、の順に透過し、視認側に向かう。
この際、液晶セル１３における電圧印加部において、バックライト１７のライト光は、半透過反射板付偏光板１６により偏光されて、カラー偏光板１５に到達され、カラー偏光板１５を透過した特定色の光のみが液晶セル１３をそのまま透過し、透過型偏光板１４に到達する。到達した特定色の光は、透過型偏光板１４により遮断とされることになる。よって、その電圧印加部に対応した位置においては、バックライト１７からのライト光は視認側に到達しないので、その位置は黒色に視認されることとなる。従って、図１、図９に示す、液晶セル１３における電圧印加部であるＬＣＤ表示部１０ａ…は、黒色により表示されることとなる。
【００４７】
これは、前述の液晶表示素子１０に入射した外光の作用によっても、液晶表示素子１０の液晶セル１３における電圧印加部であるＬＣＤ表示部１０ａ…が黒色に表示されることと同様である。
つまり、液晶表示素子１０の液晶セル１３における電圧印加部であるＬＣＤ表示部１０ａ…は、入射した外光の作用と、バックライト１７からのライト光の作用とも、黒色により表示される。
【００４８】
また、一方、液晶セル１３における非電圧印加部において、バックライト１７の光は、半透過反射板付偏光板１６により偏光されて、カラー偏光板１５に到達され、カラー偏光板１５を透過した特定色の光のみが液晶セル１３により９０度ツイストされて透過し、透過型偏光板１４に到達する。到達した特定色の光は、透過型偏光板１４により透過とされる。よって、その非電圧印加部に対応した位置においては、バックライト１７からのライト光に基づく特定色の光は視認側に到達する。特に、バックライト１７は、カラー偏光板１５の特定色と同系色の光を発光するようにしているので、視認側に到達したライト光に基づく偏光が、効率よくカラー偏光板１５の特定色を有することができる。従って、図１、図９に示す、液晶セル１３における非電圧印加部であるＬＣＤ非表示部１０ｂ…と、ＬＣＤ背景部１０ｃとは、そのカラー偏光板１５の特定色により表示されることとなる。
【００４９】
これは、前述の液晶表示素子１０に入射した外光の作用によっても、液晶表示素子１０の液晶セル１３における非電圧印加部であるＬＣＤ非表示部１０ｂと、ＬＣＤ背景部１０ｃとが、カラー偏光板１５の特定色に表示されることと同様である。
つまり、液晶表示素子１０の液晶セル１３における非電圧印加部であるＬＣＤ非表示部１０ｂ…とＬＣＤ背景部１０ｃとは、入射した外光の作用と、バックライト１７からのライト光の作用とも、カラー偏光板１５の特定色により表示されるので、そのＬＣＤ非表示部１０ｂ…とＬＣＤ背景部１０ｃとは、より鮮明にカラー偏光板１５の特定色により表示することができるとともに、黒色表示されるＬＣＤ表示部１０ａ…をより際立たせて表示することができる。
【００５０】
このように、液晶表示素子１０の液晶セル１３における電圧印加部であるＬＣＤ表示部１０ａ…を黒色により表示し、非電圧印加部であるＬＣＤ非表示部１０ｂ…とＬＣＤ背景部１０ｃとをカラー偏光板１５の特定色により表示することができる。
【００５１】
また、上記第１の実施の形態では、液晶セル１３の下面側にカラー偏光板１５を備える構成にしたが、これに限らず、例えば、図４または図５に示すような構成にしてもよい。
【００５２】
具体的には、例えば、図４に示された第１の変形例のように、液晶表示素子１０を、液晶セル１３と、液晶セル１３の視認側である上面に貼付されたカラー偏光板１５と、そのカラー偏光板１５の上面に貼付された透過型偏光板１４と、液晶セル１３の下面に貼付された半透過反射板付偏光板１６と、により構成するようにする。
この液晶表示素子１０において、透過型偏光板１４の透過軸と、半透過反射板付偏光板１６の透過軸とが異なるように、例えば、それぞれの透過軸が９０度の角度をなすように、透過型偏光板１４と半透過反射板付偏光板１６が「ノーマリーホワイト」の配置に配置されている。
また、カラー偏光板１５の透過軸と、そのカラー偏光板１５に貼付された透過型偏光板１４の透過軸とが異なるように、例えば、それぞれの透過軸が９０度の角度をなすように、カラー偏光板１５と透過型偏光板１４が配置されている。
【００５３】
また、例えば、図５に示された第２の変形例のように、液晶表示素子１０を、液晶セル１３と、液晶セル１３の視認側である上面に貼付された透過型偏光板１４と、その透過型偏光板１４の上面に貼付されたカラー偏光板１５と、液晶セル１３の下面に貼付された半透過反射板付偏光板１６と、により構成するようにする。
この液晶表示素子１０において、透過型偏光板１４の透過軸と、半透過反射板付偏光板１６の透過軸とが異なるように、例えば、それぞれの透過軸が９０度の角度をなすように、透過型偏光板１４と半透過反射板付偏光板１６が「ノーマリーホワイト」の配置に配置されている。
また、透過型偏光板１４の透過軸と、その透過型偏光板１４に貼付されたカラー偏光板１５の透過軸とが異なるように、例えば、それぞれの透過軸が９０度の角度をなすように、カラー偏光板１５と透過型偏光板１４が配置されている。
【００５４】
このような、第１の変形例、第２の変形例のような配置構造の液晶表示素子１０においても、液晶表示素子１０の液晶セル１３における電圧印加部であるＬＣＤ表示部は、入射した外光の作用と、バックライト１７からのライト光の作用とも、黒色により表示されるので、そのＬＣＤ表示部は、その周囲からより際立つように黒く表示することができる。
また、液晶表示素子１０の液晶セル１３における非電圧印加部であるＬＣＤ非表示部とＬＣＤ背景部とは、入射した外光の作用と、バックライト１７からのライト光の作用とも、カラー偏光板１５の特定色により表示されるので、そのＬＣＤ非表示部とＬＣＤ背景部とは、より鮮明にカラー偏光板１５の特定色により表示することができるとともに、黒色表示されるＬＣＤ表示部をより際立たせて表示することができる。
【００５５】
また、上記第１の実施の形態では、液晶表示素子１０の下面側に、光源であるバックライト１７を備える構成にしたが、バックライト１７は、例えば、図６〜図８に示すような光源であってもよい。
【００５６】
具体的には、例えば、図６に示された第３の変形例のように、光源としてＥＬ素子１８を備える構成であってもよい。このＥＬ素子１８は、カラー偏光板１５の特定色と同系色の光を発光する。
なお、ＥＬ素子１８が出力する発光光（ライト光）がより効率よく液晶表示素子１０側へ向かうように、ＥＬ素子１８の下面側（液晶表示素子１０の反対側）に反射板を備えてもよい。
【００５７】
また、例えば、図７に示された第４の変形例のように、光源としてＬＥＤ１９と導光板２０を備える構成であってもよい。このＬＥＤ１９は、カラー偏光板１５の特定色と同系色の光を発光する。
ＬＥＤ１９が出力した発光光（ライト光）は、光透過性を有する導光板２０に採り込まれ、採り込まれた発光光（ライト光）は、導光板２０全体あるいは所定の出力位置から出力され、液晶表示素子１０を照射するように構成されており、その発光光（ライト光）がより効率的に液晶表示素子１０側へ向かうように、導光板２０の下面側（液晶表示素子１０の反対側）には反射板２１が備えられている。
【００５８】
また、例えば、図８に示された第５の変形例のように、光源として紫外線発光素子２２と、発光体２３が設けられた導光板２４を備える構成であってもよい。
発光体２３は、紫外線発光素子２２が出力する紫外線、例えば、波長が３５０〜４２０ｎｍ、または２５４〜３６５ｎｍの紫外線に反応して有色発光し、紫外線が照射されない通常状態のときに透明な状態を呈するものである。特に、この発光体２３は、カラー偏光板１５の特定色と同系色の光を発光する。
紫外線発光素子２２が出力した紫外線は、光透過性を有する導光板２４に採り込まれ、採り込まれた紫外線は、導光板２４に設けられた発光体２３に作用し、発光体２３をカラー偏光板１５の特定色と同系色に発光させる。発光体２３が出力する発光光は、液晶表示素子１０を照射するように構成されており、その発光光がより液晶表示素子１０側へ向かうように、導光板２４の下面側（液晶表示素子１０の反対側）には反射板２１が備えられている。
【００５９】
このような、第３から第５の変形例のような配置構造の液晶表示素子１０においても、第１の実施の形態と同様に、液晶表示素子１０の液晶セル１３における電圧印加部であるＬＣＤ表示部１０ａ…を黒色により表示し、非電圧印加部であるＬＣＤ非表示部１０ｂ…とＬＣＤ背景部１０ｃとをカラー偏光板１５の特定色により表示することができる。
なお、図６〜図８に示す第３から第５の変形例における液晶表示素子１０部分は、図３に示される第１の実施の形態における液晶表示素子１０の透過型偏光板１４、液晶セル１３、カラー偏光板１５の配置構造を例に説明したが、これに限らず、図４、図５に示される、第１、第２の変形例における構成の液晶表示素子１０等であってもよい。
【００６０】
このように、第１の実施の形態及びその第１から第５の変形例においては、図９に示されるように、電圧印加部であるＬＣＤ表示部１０ａを黒色により表示し、非電圧印加部であるＬＣＤ非表示部１０ｂとＬＣＤ背景部１０ｃとをカラー偏光板１５の特定色により表示することができる。
【００６１】
なお、第１の実施の形態及びその第１から第５の変形例における液晶表示素子１０において、透過型偏光板１４の透過軸と、半透過反射板付偏光板１６の透過軸とが同じ位相となるように、透過型偏光板１４と半透過反射板付偏光板１６とを配置すれば、電圧印加部であるＬＣＤ表示部１０ａをカラー偏光板１５の特定色により表示し、非電圧印加部であるＬＣＤ非表示部１０ｂとＬＣＤ背景部１０ｃとを黒色により表示する「ノーマリーブラック」タイプの表示（後述する図１５参照）を行うことが可能である。
【００６２】
〔第２の実施の形態〕
次に、図１０、図１１を参照して、本発明を腕時計に適用した第２の実施の形態について説明する。なお、第１の実施の形態と同一部分には同一符号を付し、異なる部分についてのみ説明する。
【００６３】
腕時計２００には、図１０に示すように、時計モジュール１の上部ハウジング１ａに液晶表示素子３０が備えられており、液晶表示素子３０は、例えば、上板ガラス１３ａと下板ガラス１３ｂとの間に、図示しない上下一対の透明な電極間に液晶が備えられた液晶層を封止した液晶セル１３と、液晶セル１３の視認側である上面に貼付された第１の透過型偏光板１４ａと、液晶セル１３の下面に貼付されたカラー偏光板１５と、そのカラー偏光板１５の下面に貼付された第２の透過型偏光板１４ｂと、により構成されている。なお、液晶には、例えば、ツイスト角が９０度のツイストネマティック（ＴＮ）液晶を使用する。
そして、この液晶表示素子３０は、液晶セル１３における図示しない一対の透明な電極間に電圧を印加した状態に応じて、時刻や日時などの情報を表示するように構成されているものである。
また、液晶表示素子３０の下面側には、半透過反射板３１が配置され、その半透過反射板３１の下面側には、光源であるバックライト１７が配置されている。
半透過反射板３１は、液晶表示素子３０側（視認側）から入射される光を反射するとともに、バックライト１７側から入射される光を透過する機能を有している。
【００６４】
次に、腕時計２００の液晶表示素子３０における、表示機能、表示パターンの一例について説明する。
図１１は、図１０の腕時計２００における液晶表示素子３０と、半透過反射板３１と、バックライト１７とを示す拡大断面図である。
図９に示すように、液晶表示素子３０は、液晶セル１３と、液晶セル１３の視認側である上面に貼付された第１の透過型偏光板１４ａと、液晶セル１３の下面に貼付されたカラー偏光板１５と、そのカラー偏光板１５の下面に貼付された第２の透過型偏光板１４ｂと、により構成されている。
【００６５】
この液晶表示素子３０において、第１の透過型偏光板１４ａの透過軸と、第２の透過型偏光板１４ｂの透過軸とが同じ位相となるように、第１の透過型偏光板１４ａと第２の透過型偏光板１４ｂが配置されている。つまり、この液晶表示素子３０は、液晶セル１３における図示しない電極に電圧を印加しない通常状態において、第１の透過型偏光板１４ａを透過した偏光がＴＮ型の液晶セル１３により、９０度ツイストされた後、第２の透過型偏光板１４ｂに入射される。入射された偏光は第２の透過型偏光板１４ｂにより遮断される。従って、液晶表示素子３０を視認した際、その画面が黒く見える「ノーマリーブラック」の配置となっている。
また、カラー偏光板１５の透過軸と、そのカラー偏光板１５に貼付された第２の透過型偏光板１４ｂの透過軸とが異なるように、例えば、それぞれの透過軸が９０度の角度をなすように、カラー偏光板１５と第２の透過型偏光板１４ｂが配置されている。即ち、例えば、液晶セル１３における電圧印加部を透過した光は、カラー偏光板１５が光遮断となり、第２の透過型偏光板１４ｂは光透過となる。また、液晶セル１３における非電圧印加部を透過した光は、カラー偏光板１５が光透過となり、第２の偏光板１４ｂが光遮断となるようにされている。
【００６６】
このような液晶表示素子３０において、第１の透過型偏光板１４ａが配置された視認側から、太陽光や室内灯などの外光が入射すると、その外光は、第１の透過型偏光板１４ａ、液晶セル１３、カラー偏光板１５、第２の透過型偏光板１４ｂ、の順に透過し、半透過反射板３１に向かう。
この際、液晶セル１３における電圧印加部において、透過型偏光板１４ａを透過した外光に基づく偏光はそのまま液晶セル１３の電圧印加部を透過し、カラー偏光板１５に到達する。カラー偏光板１５に到達した偏光は、カラー偏光板１５により、特定色以外の光は遮断される。そして、カラー偏光板１５を透過した特定色の光が透過型偏光板１４ｂの偏光板を透過し、半透過反射板３１により反射される。よって、電圧印加部に対応した位置は、特定色に視認側から視認されることとなる。従って、例えば、図１、図１５に示す、液晶セル１３における電圧印加部であるＬＣＤ表示部１０ａ・・・は、カラー偏光板１５の特定色により表示されることとなる。
【００６７】
一方、液晶セル１３における非電圧印加部において、第１の透過型偏光板１４ａを透過した外光に基づく偏光は液晶セル１３により９０度ツイストされて、カラー偏光板１５に到達する。９０度ツイストされた偏光は、カラー偏光板１５を透過して第２の透過型板１４ｂに到達する。そして、到達した偏光は、第２の偏光板１４ｂにより遮断され、黒色が視認側から視認されることとなる。
従って、例えば、図１、図１５に示す、液晶セル１３における非電圧印加部であるＬＣＤ非表示部１０ｂ・・・と、ＬＣＤ背景部１０ｃとは、黒色により表示されることとなる。
【００６８】
次に、前述の液晶表示素子３０において、視認側の反対側に配置されたバックライト１７から出射されたライト光が、視認側に透過する際の状態について説明する。
バックライト１７は、カラー偏光板１５の特定色と同系色の光を発光する。バックライト１７が発光し、バックライト１７からライト光が出射されると、そのライト光は、半透過反射板３１、第２の透過型偏光板１４ｂ、カラー偏光板１５、液晶セル１３、第１の透過型偏光板１４ａ、の順に透過し、視認側に向かう。
この際、液晶セル１３における電圧印加部において、バックライト１７の光は、第２の偏光板１４ｂにより偏光されて、カラー偏光板１５に到達され、カラー偏光板１５を透過した特定色の光のみが液晶セル１３をそのまま透過し、第１の透過型偏光板１４ａに到達する。到達した特定色の光は、第１透過型偏光板１４ａにより透過とされることになる。よって、その電圧印加部に対応した位置においては、カラー偏光板１５の特定色に視認されることとなる。従って、図１、図１５に示す、液晶セル１３における電圧印加部であるＬＣＤ表示部１０ａ・・・は、カラー偏光板の特定色により表示されることとなる。特に、バックライト１７は、カラー偏光板１５の特定色と同系色の光を発光するので、視認側に到達したライト光に基づく偏光が、効率よくカラー偏光板１５の特定色を有することができる。
【００６９】
これは、前述の液晶表示素子３０に入射した外光の作用によっても、液晶表示素子３０の液晶セル１３における電圧印加部であるＬＣＤ表示部１０ａ…がカラー偏光板の特定色に表示されることと同様である。
つまり、液晶表示素子３０の液晶セル１３における電圧印加部であるＬＣＤ表示部１０ａ…は、入射した外光の作用と、バックライト１７からのライト光の作用とも、カラー偏光板の特定色により表示されるので、そのＬＣＤ表示部１０ａ…は、より鮮明にカラー偏光板１５の特定色により表示することができる。
【００７０】
また、一方、液晶セル１３における非電圧印加部において、バックライト１７の光は、第２の透過型偏光板１４ｂにより偏光されて、カラー偏光板１５に到達され、カラー偏光板１５を透過した特定色の光のみが液晶セル１３により９０度ツイストされて透過し、第１の透過型偏光板１４ａに到達する。到達した特定色の光は、透過型偏光板１４により遮断される。よって、その非電圧印加部に対応した位置においては、黒色が視認される。
従って、例えば、図１、図１５に示す、液晶セル１３における非電圧印加部であるＬＣＤ非表示部１０ｂ・・・と、ＬＣＤ背景部１０ｃとは、黒色により表示されることとなる。
【００７１】
これは、前述の液晶表示素子３０に入射した外光の作用によっても、液晶表示素子３０の液晶セル１３における非電圧印加部であるＬＣＤ非表示部１０ｂ・・・と、ＬＣＤ背景部１０ｃとが、黒色に表示されることと同様である。
つまり、液晶表示素子３０の液晶セル１３における非電圧印加部であるＬＣＤ非表示部１０ｂ・・・と、ＬＣＤ背景部１０ｃは、入射した外光の作用と、バックライト１７からのライト光の作用とも、黒色により表示される。
【００７２】
このように、液晶表示素子３０の液晶セル１３における電圧印加部であるＬＣＤ表示部１０ａ…をカラー偏光版１５の特定色により表示し、非電圧印加部であるＬＣＤ非表示部１０ｂ…とＬＣＤ背景部１０ｃとを黒色により表示することができる。
【００７３】
また、上記第２の実施の形態では、液晶セル１３の下面側にカラー偏光板１５を備え、そのカラー偏光板１５の下面に第２の透過型偏光板１４ｂを備える構成にしたが、これに限らず、例えば、図１２から図１４に示すような構成にしてもよい。
【００７４】
具体的には、例えば、図１２に示された第１の変形例のように、液晶表示素子３０を、液晶セル１３と、液晶セル１３の視認側である上面に貼付された第１の透過型偏光板１４ａと、液晶セル１３の下面に貼付された第２の透過型偏光板１４ｂと、その第２の透過型偏光板１４ｂの下面に貼付されたカラー偏光板１５と、により構成するようにする。
この液晶表示素子３０において、第１の透過型偏光板１４ａの透過軸と、第２の透過型偏光板１４ｂの透過軸とが同じ位相になるように、第１の透過型偏光板１４ａと第２の透過型偏光板１４ｂが「ノーマリーブラック」の配置に配置されている。
また、第２の透過型偏光板１４ｂの透過軸と、その第２の透過型偏光板１４ｂに貼付されたカラー偏光板１５の透過軸とが異なるように、例えば、それぞれの透過軸が９０度の角度をなすように、カラー偏光板１５と第２の透過型偏光板１４ｂが配置されている。
【００７５】
また、例えば、図１３に示された第２の変形例のように、液晶表示素子３０を、液晶セル１３と、液晶セル１３の視認側である上面に貼付されたカラー偏光板１５と、そのカラー偏光板１５の上面に貼付された第１の透過型偏光板１４ａと、液晶セル１３の下面に貼付された第２の透過型偏光板１４ｂと、により構成するようにする。
この液晶表示素子１０において、第１の透過型偏光板１４ａの透過軸と、第２の透過型偏光板１４ｂの透過軸とが同じ位相になるように、第１の透過型偏光板１４ａと第２の透過型偏光板１４ｂが「ノーマリーブラック」の配置に配置されている。
また、カラー偏光板１５の透過軸と、そのカラー偏光板１５に貼付された第１の透過型偏光板１４ａの透過軸とが異なるように、例えば、それぞれの透過軸が９０度の角度をなすように、カラー偏光板１５と第１の透過型偏光板１４ａが配置されている。
【００７６】
また、例えば、図１４に示された第３の変形例のように、液晶表示素子１０を、液晶セル１３と、液晶セル１３の視認側である上面に貼付された第１の透過型偏光板１４ａと、その第１の透過型偏光板１４ａの上面に貼付されたカラー偏光板１５と、液晶セル１３の下面に貼付された第２の透過型偏光板１４ｂと、により構成するようにする。
この液晶表示素子１０において、第１の透過型偏光板１４ａの透過軸と、第２の透過型偏光板１４ｂの透過軸とが同じ位相になるように、第１の透過型偏光板１４ａと第２の透過型偏光板１４ｂが「ノーマリーブラック」の配置に配置されている。
また、第１の透過型偏光板１４ａの透過軸と、その第１の透過型偏光板１４ａに貼付されたカラー偏光板１５の透過軸とが異なるように、例えば、それぞれの透過軸が９０度の角度をなすように、カラー偏光板１５と第１の透過型偏光板１４ａが配置されている。
【００７７】
このような、第１から第３の変形例のような配置構造の液晶表示素子３０においても、液晶表示素子３０の液晶セル１３における電圧印加部であるＬＣＤ表示部１０ａ…は、入射した外光の作用と、バックライト１７からのライト光の作用とも、カラー偏光板の特定色により表示され、液晶表示素子３０の液晶セル１３における非電圧印加部であるＬＣＤ非表示部１０ｂ…とＬＣＤ背景部１０ｃとは、入射した外光の作用と、バックライト１７からのライト光の作用とも、黒色により表示される。
従って、そのＬＣＤ表示部１０Ａは、より鮮明にカラー偏光板１５の特定色により表示することができるとともに、黒色表示されるＬＣＤ非表示部１０ｂとＬＣＤ背景部１０ｃとは、その周囲からより際立つように黒く表示することができる。
特に、図１２に示す第１の変形例のように、カラー偏光板１５を第２の偏光板１４ｂの下面に貼り付けることにより、黒色表示される部分は、その周囲からより際立つように黒く表示することができる。
【００７８】
また、上記第２の実施の形態及びその第１〜第３の変形例では、液晶表示素子３０の下面側に、光源であるバックライト１７を備える構成にしたが、バックライト１７は、第１の実施の形態と同様に、例えば、ＥＬ素子１８、ＬＥＤ１９と導光板２０の組み合わせ、紫外線発光素子２２と、発光体２３が備えられた導光板２４の組み合わせ、等を利用することができる。
また、上記第２の実施の形態では、液晶表示素子３０の下面側に、液晶表示素子３０側（視認側）から入射される光を反射するとともに、バックライト１７側から入射される光を透過する機能を有している半透過反射板３１を備える構成にしたが、半透過反射板３１の替わりにメッシュパネル３２を備える構成であってもよい。
【００７９】
メッシュパネル３２は、例えば、金属製のパネルにメッシュ状に細かい穴が形成された板状物である。メッシュパネル３２は、液晶表示素子３０側（視認側）から入射される光を反射するとともに、バックライト１７側から入射される光をメッシュ状に細かい穴を介して透過させる機能を有している。
このメッシュパネル３２を用いることにより、電圧印加部におけるカラー表示が、鮮やかな金属光沢を呈する色とすることができることとなって、より趣向性に富んだ液晶表示を行うことができる。
【００８０】
このように、第２の実施の形態及びその第１から第３の変形例においては、図１５に示されるように、電圧印加部であるＬＣＤ表示部１０ａをカラー偏光板１５の特定色により表示し、非電圧印加部であるＬＣＤ非表示部１０ｂとＬＣＤ背景部１０ｃとを黒色により表示することができる。
【００８１】
なお、第２の実施の形態及びその第１から第３の変形例における液晶表示素子３０において、第１の透過型偏光板１４ａの透過軸と、第２の透過型偏光板１４７ｂの透過軸とが異なるように、例えば、それぞれの透過軸が９０度の角度をなすように、第１の透過型偏光板１４ａと第２の透過型偏光板１４ｂとを配置すれば、電圧印加部であるＬＣＤ表示部１０ａを黒色により表示し、非電圧印加部であるＬＣＤ非表示部１０ｂとＬＣＤ背景部１０ｃとをカラー偏光板１５の特定色により表示する「ノーマリーホワイト」タイプの表示（図９参照）を行うことが可能である。
【００８２】
〔第３の実施の形態〕
次に、図１６を参照して、本発明に係る液晶表示装置を電子機器としての腕時計に適用した第３の実施の形態について説明する。なお、第１の実施の形態と同一部分には同一符号を付し、異なる部分についてのみ説明する。
【００８３】
図１６は、例えば、腕時計２００の時計モジュール１の上部ハウジング１ａに備えられる液晶表示素子４０と、半透過反射板３１と、バックライト１７ａとを示す拡大断面図である。
図１６に示されるように、液晶表示素子４０は、液晶セル１３と、液晶セル１３の視認側である上面に貼付された透過型偏光板１４と、液晶セル１３の下面に貼付された第１のカラー偏光板１５ａと、その第１のカラー偏光板１５ａの下面に貼付された第２のカラー偏光板１５ｂと、により構成されている。
【００８４】
次に、液晶表示素子４０における、表示機能、表示パターンの一例について説明する。
この液晶表示素子４０において、第１のカラー偏光板１５ａの透過軸と、第２のカラー偏光板１５ｂの透過軸とが異なるように、例えば、それぞれの透過軸が９０度の角度をなすように、第１のカラー偏光板１５ａと、第２のカラー偏光板１５ｂが配置されている。
また、第１のカラー偏光板１５ａの透過軸と、第２のカラー偏光板１５ｂの透過軸のうち、一方が透過型偏光板１４の透過軸と異なるように、例えば、９０度の角度をなすように配置され、他方が透過型偏光板１４の透過軸と同じ位相に配置されている。
例えば、本第３の実施の形態においては、第１のカラー偏光板１５ａの透過軸が透過型偏光板１４の透過軸と９０度の角度をなすように配置され、第２のカラー偏光板１５ｂの透過軸が透過型偏光板１４の透過軸と同じ位相に配置されている。
即ち、例えば、液晶セル１３における電圧印加部を透過した光は、第１のカラー偏光板１５ａが光遮断となり、第２のカラー偏光板１５ｂは光透過となる。また、液晶セル１３における非電圧印加部を透過した光は、第１のカラー偏光板１５ａが光透過となり、第２のカラー偏光板１５ｂは光遮断となっている。
【００８５】
このような液晶表示素子４０において、透過型偏光板１４が配置された視認側から、太陽光や室内灯などの外光が入射すると、その外光は、透過型偏光板１４、液晶セル１３、第１のカラー偏光板１５ａ、第２のカラー偏光板１５ｂ、の順に透過し、半透過反射板３１に向かう。
この際、液晶セル１３における電圧印加部において、透過型偏光板１４を透過した外光に基づく偏光は、そのまま電圧印加部を透過し、第１のカラー偏光板１５ａの位相は光遮断とされ、第２のカラー偏光板１５ｂの位相は光透過とされている。そのため、第１のカラー偏光板１５ａにおいて、第１のカラー偏光板１５ａの特定色以外の光が遮断されるとともに、第１のカラー偏光板１５ａを透過した第１のカラー偏光板１５ａの特定色の光は、第２のカラー偏光板１５ｂを透過し、半透過反射板３１に到達する。
このように、その外光に基づく偏光のうち、第１のカラー偏光板１５ａの特定色の光のみが半透過反射板３１に到達し、視認側に反射される。よって、その電圧印加部に対応した位置は、第１のカラー偏光板１５ａの特定色に視認側から視認されることとなる。従って、例えば、図１に示す、液晶セルにおける電圧印加部であるＬＣＤ表示部１０ａ…は、第１のカラー偏光板１５ａの特定色により表示されることとなる。
【００８６】
一方、液晶セル１３における非電圧印加部において、透過型偏光板１４を透過した外光に基づく偏光は、液晶セル１３により９０度ツイストされる。そして、その偏光は、第１のカラー偏光板１５ａの位相は光透過とされ、第２のカラー偏光板１５ｂの位相は光遮断とされている。そのため、その偏光は全て第１のカラー偏光板１５ａを透過するとともに、その透過した偏光は、第２のカラー偏光板１５ｂにおいて、第２のカラー偏光板１５ｂの特定色以外の光が遮断され、第２のカラー偏光板１５ｂを透過した、第２のカラー偏光板１５ｂの特定色の光が、半透過反射板３１に到達する。
このように、その外光に基づく偏光のうち、第２のカラー偏光板１５ｂの特定色の光のみが半透過反射板３１に到達し、視認側に反射される。よって、その非電圧印加部に対応した位置は、第２のカラー偏光板１５ｂの特定色に視認側から視認されることとなる。従って、例えば、図１に示す、液晶セルにおける非電圧印加部であるＬＣＤ非表示部１０ｂ…と、ＬＣＤ背景部１０ｃとは、第２のカラー偏光板１５ｂの特定色により表示されることとなる。
【００８７】
次に、前述の液晶表示素子４０において、視認側の反対側に配置されたバックライト１７ａから出射されたライト光が、視認側に透過する際の状態について説明する。
バックライト１７ａは、第１のカラー偏光板１５ａの特定色と同系色の光と、第２のカラー偏光板１５ｂの特定色と同系色の光の、それぞれの光を発光することができる。バックライト１７ａが発光し、バックライト１７ａからライト光が出射されると、そのライト光は、半透過反射板３１、第２のカラー偏光板１５ｂ、第１のカラー偏光板１５ａ、液晶セル１３、透過型偏光板１４、の順に透過し、視認側に向かう。
この際、液晶セル１３における電圧印加部において、バックライト１７ａのライト光のうち、第２のカラー偏光板１５ｂと、第１のカラー偏光板１５ａとを透過した、第２のカラー偏光板１５ｂの特定色の偏光と、第１のカラー偏光板１５ａの特定色の偏光とは、液晶セル１３をそのまま透過し、透過型偏光板１４に到達する。到達した第２のカラー偏光板１５ｂの特定色の偏光と、第１のカラー偏光板１５ａの特定色の偏光のうち、第１のカラー偏光板１５ａの特定色を有する偏光に対し、透過型偏光板１４の位相は光透過とされることになる。一方、透過型偏光板１４に到達したライト光に基づく偏光のうち、第２のカラー偏光板１５ｂの特定色を有する偏光に対し、透過型偏光板１４の位相は光遮断とされることになる。
【００８８】
よって、その電圧印加部に対応した位置においては、バックライト１７ａからのライト光のうち、第１のカラー偏光板１５ａの特定色のみが視認側に到達するので、その位置は第１のカラー偏光板１５ａの特定色に視認されることとなる。
従って、液晶セル１３における電圧印加部であるＬＣＤ表示部１０ａ…は、第１のカラー偏光板１５ａの特定色により表示されることとなる。
【００８９】
これは、前述の液晶表示素子４０に入射した外光の作用によっても、液晶表示素子４０の液晶セル１３における電圧印加部であるＬＣＤ表示部１０ａ…が第１のカラー偏光板１５ａの特定色に表示されることと同様である。
つまり、液晶表示素子４０の液晶セル１３における電圧印加部であるＬＣＤ表示部１０ａ…は、入射した外光の作用と、バックライト１７ａからのライト光の作用とも、第１のカラー偏光板１５ａの特定色により表示される。
【００９０】
また、一方、液晶セル１３における非電圧印加部において、バックライト１７ａのライト光のうち、第２のカラー偏光板１５ｂと、第１のカラー偏光板１５ａとを透過した、第２のカラー偏光板１５ｂの特定色の偏光と、第１のカラー偏光板１５ａの特定色の偏光とは、液晶セル１３により９０度ツイストされて透過し、透過型偏光板１４に到達する。到達した第２のカラー偏光板１５ｂの特定色の偏光と、第１のカラー偏光板１５ａの特定色の偏光のうち、第２のカラー偏光板１５ｂの特定色を有する偏光に対し、透過型偏光板１４の位相は光透過とされることになる。一方、透過型偏光板１４に到達したライト光に基づく偏光のうち、第１のカラー偏光板１５ａの特定色を有する偏光に対し、透過型偏光板１４の位相は光遮断とされることになる。
【００９１】
よって、その非電圧印加部に対応した位置においては、バックライト１７ａからのライト光のうち、第２のカラー偏光板１５ｂの特定色のみが視認側に到達するので、その位置は第２のカラー偏光板１５ｂの特定色に視認されることとなる。従って、液晶セル１３における非電圧印加部であるＬＣＤ非表示部１０ｂ…と、ＬＣＤ背景部１０ｃとは、第２のカラー偏光板１５ｂの特定色により表示されることとなる。
【００９２】
これは、前述の液晶表示素子４０に入射した外光の作用によっても、液晶表示素子４０の液晶セル１３における非電圧印加部であるＬＣＤ非表示部１０ｂ…とＬＣＤ背景部１０ｃとが、第２のカラー偏光板１５ｂの特定色に表示されることと同様である。
つまり、液晶表示素子４０の液晶セル１３における非電圧印加部であるＬＣＤ非表示部１０ｂ…とＬＣＤ背景部１０ｃは、入射した外光の作用と、バックライト１７ａからのライト光の作用とも、第２のカラー偏光板１５ｂの特定色により表示される。
【００９３】
このように、液晶表示素子４０の液晶セル１３における電圧印加部であるＬＣＤ表示部１０ａ…を第１のカラー偏光版１５の特定色により表示し、非電圧印加部であるＬＣＤ非表示部１０ｂ…とＬＣＤ背景部１０ｃとを第２のカラー偏光版１５の特定色により表示することができる。
【００９４】
なお、上記第３の実施の形態においては、液晶表示素子４０の下面側に、液晶表示素子４０側（視認側）から入射される光を反射するとともに、バックライト１７ａ側から入射される光を透過する機能を有している半透過反射板３１を備える構成にしたが、半透過反射板３１の替わりにメッシュパネル３２を備える構成であってもよい。
また、上記第３の実施の形態では、第１のカラー偏光板１５ａの特定色と同系色の光と、第２のカラー偏光板１５ｂの特定色と同系色の光の、それぞれの光を発光することができるバックライト１７ａを備える構成にした。このようなバックライト１７ａの具体的な構成としては、第１のカラー偏光板１５ａの特定色と同系色の光を発光することができるＥＬ素子と、第２のカラー偏光板１５ｂの特定色と同系色の光を発光することができるＥＬ素子とが一体に備えられた、例えば、２層ＥＬ素子などが挙げられる。
【００９５】
２層ＥＬ素子は、発光光の切り替えが可能であり、例えば、第１のカラー偏光板１５ａの特定色の発光と、第２のカラー偏光板１５ｂの特定色の発光とを切り替えることや、第１のカラー偏光板１５ａの特定色の発光と、第２のカラー偏光板１５ｂの特定色の発光を同時に行うことなどが可能である。
【００９６】
また、上記第３の実施の形態では、第１のカラー偏光板１５ａと第２のカラー偏光板１５ｂとを、液晶セル１３の下面側に備える構成について説明したが、これに限らず、例えば、図１７、図１８に示すような構成であってもよい。
【００９７】
具体的には、例えば、図１７に示された第１の変形例のように、液晶表示素子４０を、液晶セル１３と、液晶セル１３の視認側である上面に貼付された第１のカラー偏光板１５ａと、その第１のカラー偏光板１５ａの上面に貼付された第２のカラー偏光板１５ｂと、液晶セル１３の下面に貼付された透過型偏光板１４と、により構成するようにする。
この液晶表示素子４０において、第１のカラー偏光板１５ａの透過軸と、第２のカラー偏光板１５ｂの透過軸とが異なるように、例えば、それぞれの透過軸が９０度の角度をなすように、第１のカラー偏光板１５ａと、第２のカラー偏光板１５ｂが配置されている。また、第１のカラー偏光板１５ａの透過軸が透過型偏光板１４の透過軸と異なるように、例えば、９０度の角度をなすように配置され、第２のカラー偏光板１５ｂの透過軸が透過型偏光板１４の透過軸と同じ位相に配置されている。
【００９８】
また、例えば、図１８に示された第２の変形例のように、液晶表示素子４０を、液晶セル１３と、液晶セル１３の視認側である上面に貼付された第１のカラー偏光板１５ａと、その第１のカラー偏光板１５ａの上面に貼付された第２のカラー偏光板１５ｂと、液晶セル１３の下面に貼付された半透過反射板付偏光板１６と、により構成するようにする。
この液晶表示素子４０において、第１のカラー偏光板１５ａの透過軸と、第２のカラー偏光板１５ｂの透過軸とが異なるように、例えば、それぞれの透過軸が９０度の角度をなすように、第１のカラー偏光板１５ａと、第２のカラー偏光板１５ｂが配置されている。また、第１のカラー偏光板１５ａの透過軸が半透過反射板付偏光板１６の透過軸と異なるように、例えば、９０度の角度をなすように配置され、第２のカラー偏光板１５ｂの透過軸が半透過反射板付偏光板１６の透過軸と同じ位相に配置されている。
【００９９】
また、上記第３の実施の形態及びその第１、第２の変形例では、液晶表示素子４０の下面側に光源であるバックライト１７ａとして、例えば２層ＥＬ素子を備える構成にしたが、これに限らず、例えば、図１９から図２２に示すような構成にしてもよい。
【０１００】
具体的には、例えば、図１９に示された第３の変形例のように、液晶表示素子４０の下面側に、光源として２色発光ＬＥＤ１９ａと導光板２０を備え、その導光板２０の下面側に反射板２１を備える構成であってもよい。なお、２色発光ＬＥＤ１９ａは、第１のカラー偏光板１５ａの特定色と同系色の光と、第２のカラー偏光板１５ｂの特定色と同系色の光との２色の光を発光することができる。また、２色発光ＬＥＤ１９ａは、発光光の切り替えが可能であり、例えば、第１のカラー偏光板１５ａの特定色の発光と、第２のカラー偏光板１５ｂの特定色の発光とを切り替えることや、第１のカラー偏光板１５ａの特定色の発光と、第２のカラー偏光板１５ｂの特定色の発光を同時に行うことなどが可能である。
【０１０１】
また、例えば、図２０に示された第４の変形例のように、液晶表示素子４０の下面側に、光源としての、第１のカラー偏光板１５ａの特定色と同系色の光を発光する第１のＬＥＤ１９ｂと、第２のカラー偏光板１５ｂの特定色と同系色の光を発光する第２のＬＥＤ１９ｃと、導光板２０を備え、その導光板２０の下面側に反射板２１を備える構成であってもよい。
【０１０２】
また、例えば、図２１に示された第５の変形例のように、液晶表示素子４０の下面側に、光源としての、第１の紫外線発光素子２２ａ及び第２の紫外線発光素子２２ｂと、第１のカラー偏光板１５ａの特定色と同系色の光を発光する第１の発光体２３ａと第２のカラー偏光板１５ｂの特定色と同系色の光を発光する第２の発光体２３ｂが設けられた導光板２４を備える構成であってもよい。なお、第１の発光体２３ａは、第１の紫外線発光素子２２ａが出力し、導光板２４等を介して照射される紫外線の作用により発光し、第２の発光体２３ｂは、第２の紫外線発光素子２２ｂが出力し、導光板２４等を介して照射される紫外線の作用により発光する。
【０１０３】
また、例えば、図２２に示された第６の変形例のように、液晶表示素子４０の下面側に、光源としての、第１のカラー偏光板１５ａの特定色と同系色の光を発光するＬＥＤ１９と、紫外線発光素子２２の紫外線の作用により第２のカラー偏光板１５ｂの特定色と同系色の光を発光する発光体２３が設けられた導光板２４を備える構成であってもよい。
【０１０４】
なお、図１９〜図２２に示す第３から第６の変形例における液晶表示素子４０部分は、図１６に示される第３の実施の形態における液晶表示素子４０の透過型偏光板１４、液晶セル１３、第１のカラー偏光板１５ａ、第２のカラー偏光板１５ｂの配置構造を例に説明したが、これに限らず、図１７、図１８に示される、第１、第２の変形例における構成の液晶表示素子４０等であってもよい。
【０１０５】
このように、第３の実施の形態及びその第１から第６の変形例においては、液晶表示素子４０の液晶セル１３における電圧印加部であるＬＣＤ表示部１０ａを第１のカラー偏光版１５ａの特定色により表示し、非電圧印加部であるＬＣＤ非表示部１０ｂとＬＣＤ背景部１０ｃとを第２のカラー偏光板１５ｂの特定色により表示することができる。
【０１０６】
なお、第３の実施の形態及びその第１から第６の変形例における液晶表示素子４０において、図１６に示される第３の実施の形態及び図１９〜図２２に示される第３の実施の形態の第３から第６の変形例の場合、液晶セル１３の下面に貼付された第１のカラー偏光板１５ａの透過軸と、液晶セル１３の上面に貼付された透過型偏光板１４の透過軸とが同じ位相となるように配置し、第２のカラー偏光板１５ｂの透過軸と、その透過型偏光板１４の透過軸とが異なるように配置すれば、電圧印加部であるＬＣＤ表示部１０ａを第２のカラー偏光版１５ｂの特定色により表示し、非電圧印加部であるＬＣＤ非表示部１０ｂとＬＣＤ背景部１０ｃとを第１のカラー偏光板１５ａの特定色により表示することができる。
また、図１７に示される第３の実施の形態の第１の変形例の場合、液晶セル１３の上面に貼付された第１のカラー偏光板１５ａの透過軸と、液晶セル１３の下面に貼付された透過型偏光板１４の透過軸とが同じ位相となるように配置し、第２のカラー偏光板１５ｂの透過軸と、その透過型偏光板１４の透過軸とが異なるように配置すれば、電圧印加部であるＬＣＤ表示部１０ａを第２のカラー偏光版１５ｂの特定色により表示し、非電圧印加部であるＬＣＤ非表示部１０ｂとＬＣＤ背景部１０ｃとを第１のカラー偏光板１５ａの特定色により表示することができる。
また、図１８に示される第３の実施の形態の第２の変形例の場合、液晶セル１３の上面に貼付された第１のカラー偏光板１５ａの透過軸と、液晶セル１３の下面に貼付された半透過型反射板付偏光板１６の透過軸とが同じ位相となるように配置し、第２のカラー偏光板１５ｂの透過軸と、その半透過反射板付偏光板１６の透過軸とが異なるように配置すれば、電圧印加部であるＬＣＤ表示部１０ａを第２のカラー偏光版１５ｂの特定色により表示し、非電圧印加部であるＬＣＤ非表示部１０ｂとＬＣＤ背景部１０ｃとを第１のカラー偏光板１５ａの特定色により表示することができる。
【０１０７】
このように、本発明の液晶表示装置である時計モジュール１に備えられた液晶表示素子１０，３０，４０において、外光を利用したカラー偏光板の特定色に基づく着色表現と、バックライトによるカラー偏光板の特定色に基づく着色表現とを、ほぼ同じにすることができ、より趣向性に富んだ着色表現を実現できる。
【０１０８】
なお、以上の実施の形態においては、各種偏光板と液晶セル１３等を貼付する構成にしたが、本発明はこれに限定されるものではなく、その各種偏光板等がずれたり、移動したりしないように、所定の配置順に配置されていればよい。
また、液晶表示素子１０，３０，４０において、電圧印加部／電圧非印加部により表示（ＬＣＤ表示部１０ａ）／非表示（ＬＣＤ非表示部１０ｂ）が切り替えられ、表示されるものは、デジタル式の表示に限らず、時針・分針・秒針等の指針を擬似表示するアナログ式的表示であってもよく、液晶表示であれば任意である。
また、電子機器は腕時計に限ったものでなく、携帯電話機、自動車の計器類など、各種機器であってもよい。
また、その他、具体的な細部構造等についても適宜に変更可能であることは勿論である。
【０１０９】
【発明の効果】
請求項１記載の発明によれば、バックライトの発光光が、第２の偏光板、液晶セル、第１の偏光板及び第１の偏光板或いは第２の偏光板の何れかに貼り合わされたカラー偏光板を介し、視認側へ到達する際に、第２の偏光板、液晶セル、第１の偏光板、カラー偏光板の相互作用により、前記バックライトの発光光のうち、カラー偏光板特有の色に基づく着色光が到達することとなる。よって、カラー偏光板の色に基づく着色光により、着色表現可能な液晶表示を行うことができる。
特に、カラー偏光板の色とバックライトの色とは同系色となっているので、高効率でバックライトの発光光が視認側へ到達することができる。よって、より光量の多い着色光により、鮮やかな着色表現を行うことができる。
【０１１０】
請求項２記載の発明によれば、請求項１記載の発明と同様の効果が得られることは無論のこと、特に、液晶セルにおける電圧印加部と非電圧印加部との切り替えを行うことにより、電圧印加部において液晶表示装置における暗表示である黒色表示を行い、非電圧印加部において液晶表示装置における明表示であるカラー偏光板の色に基づく着色表示を行うように、液晶表示を行うことができる。
よって、例えば、カラー偏光板の色に基づく鮮明な着色背景に、シャープな黒色の文字、図形等の表示を行うことができ、趣向性に富んだ着色表現を行うことができる。
【０１１１】
請求項３記載の発明によれば、請求項１記載の発明と同様の効果が得られることは無論のこと、特に、液晶セルにおける電圧印加部と非電圧印加部との切り替えを行うことにより、電圧印加部において液晶表示装置における明表示であるカラー偏光板の色に基づく着色表示を行い、非電圧印加部において液晶表示装置における暗表示である黒色表示を行うように、液晶表示を行うことができる。
よって、例えば、黒色背景に、カラー偏光板の色に基づく鮮明な色の文字、図形等の表示を行うことができ、趣向性に富んだ着色表現を行うことができる。
【０１１２】
請求項４記載の発明によれば、請求項１〜３の何れか一項に記載の発明と同様の効果が得られることは無論のこと、特に、第１の偏光板は透過型偏光板であり、第２の偏光板は半透過反射板付偏光板であるので、この液晶表示装置は、バックライトを利用する透過型液晶表示と、太陽光などの外光を利用する反射型液晶表示とが可能な、半透過反射型の液晶表示装置とすることができる。
よって、バックライトによるカラー偏光板の色に基づく着色表現を行うとともに、外光を利用してカラー偏光板の色に基づく着色表現を行うことができ、より光量の多い着色光により、鮮やかな着色表現による液晶表示を行うことができる。
また、バックライトによるカラー偏光板の色に基づく着色表現と、外光を利用してカラー偏光板の色に基づく着色表現と、をほぼ同じにすることができ、より趣向性に富んだ着色表現を実現できる。
【０１１３】
請求項５記載の発明によれば、請求項１〜３の何れか一項に記載の発明と同様の効果が得られることは無論のこと、特に、第１の偏光板および第２の偏光板は、透過型偏光板であり、第２の偏光板又はカラー偏光板と、バックライトとの間に半透過反射板又はメッシュパネルが配置されているので、この液晶表示装置は、バックライトを利用する透過型液晶表示と、太陽光などの外光を利用する反射型液晶表示とが可能な、半透過反射型の液晶表示装置とすることができる。
よって、バックライトによるカラー偏光板の色に基づく着色表現を行うとともに、外光を利用してカラー偏光板の色に基づく着色表現を行うことができ、より光量の多い着色光により、鮮やかな着色表現による液晶表示を行うことができる。
また、バックライトによるカラー偏光板の色に基づく着色表現と、外光を利用してカラー偏光板の色に基づく着色表現と、ほぼ同じにすることができ、より趣向性に富んだ着色表現を実現できる。
【０１１４】
請求項６記載の発明によれば、請求項５に記載の発明と同様の効果が得られることは無論のこと、特に、カラー偏光板は、第２の偏光板の液晶セルと反対側に貼り付けられているので、例えば、黒色表示をカラー偏光板を透過することなくできることとなって、より鮮明な黒色表現による液晶表示を行うことができる。
【０１１５】
請求項７記載の発明によれば、バックライトの発光光が、第２のカラー偏光板、第１のカラー偏光板、液晶セル及び偏光板を介し、視認側へ到達する際に、第２のカラー偏光板、第１のカラー偏光板、液晶セル、偏光板の相互作用により、前記バックライトの発光光のうち、第１のカラー偏光板や第２のカラー偏光板の色に基づく着色光が到達することとなる。よって、第１のカラー偏光板や第２のカラー偏光板の色に基づく着色光により、着色表現可能な液晶表示を行うことができる。
特に、バックライトは、第１のカラー偏光板と第２のカラー偏光板の何れか一方の色と同系色の色を発光するので、高効率でバックライトの発光光が視認側へ到達することができる。よって、より光量の多い着色光により、鮮やかな着色表現を行うことができる。
【０１１６】
請求項８記載の発明によれば、請求項７に記載の発明と同様の効果が得られることは無論のこと、特に、第２のカラー偏光板と、バックライトとの間に半透過反射板又はメッシュパネルが配置されているので、この液晶表示装置は、バックライトを利用する透過型液晶表示と、太陽光などの外光を利用する反射型液晶表示とが可能な、半透過反射型の液晶表示装置とすることができる。
よって、バックライトによるカラー偏光板の色に基づく着色表現を行うとともに、外光を利用してカラー偏光板の色に基づく着色表現を行うことができ、より光量の多い着色光により、鮮やかな着色表現による液晶表示を行うことができる。
【０１１７】
請求項９記載の発明によれば、バックライトの発光光が、偏光板、液晶セル、第１のカラー偏光板及び第２のカラー偏光板を介し、視認側へ到達する際に、偏光板、液晶セル、第１のカラー偏光板、第２のカラー偏光板の相互作用により、前記バックライトの発光光のうち、第１のカラー偏光板や第２のカラー偏光板の色に基づく着色光が到達することとなる。よって、第１のカラー偏光板や第２のカラー偏光板の色に基づく着色光により、着色表現可能な液晶表示を行うことができる。
特に、バックライトは、第１のカラー偏光板と第２のカラー偏光板の何れか一方の色と同系色の色を発光するので、高効率でバックライトの発光光が視認側へ到達することができる。よって、より光量の多い着色光により、鮮やかな着色表現を行うことができる。
【０１１８】
請求項１０記載の発明によれば、請求項９記載の発明と同様の効果が得られることは無論のこと、特に、偏光板は半透過反射板付偏光板であるので、この液晶表示装置は、バックライトを利用する透過型液晶表示と、太陽光などの外光を利用する反射型液晶表示とが可能な、半透過反射型の液晶表示装置とすることができる。
よって、バックライトによるカラー偏光板の色に基づく着色表現を行うとともに、外光を利用してカラー偏光板の色に基づく着色表現を行うことができ、より光量の多い着色光により、鮮やかな着色表現による液晶表示を行うことができる。
【０１１９】
請求項１１記載の発明によれば、請求項９記載の発明と同様の効果が得られることは無論のこと、特に、偏光板は透過型偏光板であり、その偏光板と、バックライトとの間に半透過反射板又はメッシュパネルが配置されているので、この液晶表示装置は、バックライトを利用する透過型液晶表示と、太陽光などの外光を利用する反射型液晶表示とが可能な、半透過反射型の液晶表示装置とすることができる。
よって、バックライトによるカラー偏光板の色に基づく着色表現を行うとともに、外光を利用してカラー偏光板の色に基づく着色表現を行うことができ、より光量の多い着色光により、鮮やかな着色表現による液晶表示を行うことができる。
【０１２０】
請求項１２記載の発明によれば、請求項７〜１１の何れか一項に記載の発明と同様の効果が得られることは無論のこと、特に、バックライトは、第１のカラー偏光板の色と第２のカラー偏光板の色とを切り替えて発光するので、第１のカラー偏光板の色と、第２のカラー偏光板の色との着色表示の切り替えを行うことができる。
【０１２１】
請求項１３記載の発明によれば、請求項７〜１２の何れか一項に記載の発明と同様の効果が得られることは無論のこと、特に、液晶セルにおける電圧印加部と非電圧印加部との切り替えを行うことにより、電圧印加部において、第２のカラー偏光板の色に基づく着色表示を行うように、液晶表示を行うことができるとともに、非電圧印加部において、第１のカラー偏光板の色に基づく着色表示を行うように、液晶表示を行うことができる。
よって、例えば、第１のカラー偏光板の色に基づく着色背景に、第２のカラー偏光板の色に基づく色の文字、図形等の表示を行うことができ、趣向性に富んだ着色表現を行うことができる。
【０１２２】
請求項１４記載の発明によれば、請求項７〜１２の何れか一項に記載の発明と同様の効果が得られることは無論のこと、特に、液晶セルにおける電圧印加部と非電圧印加部との切り替えを行うことにより、電圧印加部において、第１のカラー偏光板の色に基づく着色表示を行うように、液晶表示を行うことができるとともに、非電圧印加部において、第２のカラー偏光板の色に基づく着色表示を行うように、液晶表示を行うことができる。
よって、例えば、第２のカラー偏光板の色に基づく着色背景に、第１のカラー偏光板の色に基づく色の文字、図形等の表示を行うことができ、趣向性に富んだ着色表現を行うことができる。
【０１２３】
請求項１５記載の発明によれば、バックライトの発光光が、メッシュパネル、第２の透過型偏光板、液晶セル、第１の透過型偏光板及び第１の透過型偏光板或いは第２の透過型偏光板の何れかに貼り合わされたカラー偏光板を介し、視認側へ到達する際に、第２の透過型偏光板、液晶セル、第１の透過型偏光板、カラー偏光板の相互作用により、前記バックライトの発光光のうち、カラー偏光板の色に基づく着色光が到達することとなる。よって、カラー偏光板の色に基づく着色光により、着色表現可能な液晶表示を行うことができる。
また、備えられたメッシュパネルにより、バックライトを利用する透過型液晶表示と、太陽光などの外光を反射し利用する反射型液晶表示とを、金属感のある鮮やかな着色表現にすることができる。
【０１２４】
請求項１６記載の発明によれば、様々な偏光板が備えられた液晶セルやバックライト等が配置された液晶表示装置を機器ケースに配置することにより、様々な電子機器に鮮やかな着色表現や、趣向性に富んだ着色表現が可能な液晶表示機能を付与することができる。
【図面の簡単な説明】
【図１】本発明を適用した腕時計を示した一部省略平面図である。
【図２】図１のＩＩ−ＩＩ線における腕時計の要部の拡大断面図である。
【図３】本発明の第１の実施の形態における液晶表示素子とバックライトの構成を示す拡大断面図である。
【図４】本発明の第１の実施の形態における液晶表示素子とバックライトの構成を示す第１の変形例の拡大断面図である。
【図５】本発明の第１の実施の形態における液晶表示素子とバックライトの構成を示す第２の変形例の拡大断面図である。
【図６】本発明の第１の実施の形態において、バックライトとしてＥＬ素子を用いた場合の構成を示す拡大断面図である。
【図７】本発明の第１の実施の形態において、バックライトとしてＬＥＤを用いた場合の構成を示す拡大断面図である。
【図８】本発明の第１の実施の形態において、バックライトとして紫外線発光素子を用いた場合の構成を示す拡大断面図である。
【図９】本発明の第１の実施の形態における「ノーマリーホワイト」配置においての表示例を示す説明図である。
【図１０】図１のＩＩ−ＩＩ線における腕時計の要部の拡大断面図である。
【図１１】本発明の第２の実施の形態における液晶表示素子とバックライトの構成を示す拡大断面図である。
【図１２】本発明の第２の実施の形態における液晶表示素子とバックライトの構成を示す第１の変形例の拡大断面図である。
【図１３】本発明の第２の実施の形態における液晶表示素子とバックライトの構成を示す第２の変形例の拡大断面図である。
【図１４】本発明の第２の実施の形態における液晶表示素子とバックライトの構成を示す第３の変形例の拡大断面図である。
【図１５】本発明の第２の実施の形態における「ノーマリーブラック」配置においての表示例を示す説明図である。
【図１６】本発明の第３の実施の形態における液晶表示素子とバックライトの構成を示す拡大断面図である。
【図１７】本発明の第３の実施の形態における液晶表示素子とバックライトの構成を示す第１の変形例の拡大断面図である。
【図１８】本発明の第３の実施の形態における液晶表示素子とバックライトの構成を示す第２の変形例の拡大断面図である。
【図１９】本発明の第３の実施の形態における液晶表示素子とバックライトの構成を示す第３の変形例の拡大断面図である。
【図２０】本発明の第３の実施の形態における液晶表示素子とバックライトの構成を示す第４の変形例の拡大断面図である。
【図２１】本発明の第３の実施の形態における液晶表示素子とバックライトの構成を示す第５の変形例の拡大断面図である。
【図２２】本発明の第３の実施の形態における液晶表示素子とバックライトの構成を示す第６の変形例の拡大断面図である。
【符号の説明】
１　　　時計モジュール（液晶表示装置）
１ａ　　上部ハウジング
１ｂ　　下部ハウジング
２　　　時計ケース（機器ケース）
３　　　時計ガラス
４　　　パッキン
５　　　裏蓋
６　　　防水リング
７　　　ベゼル
８　　　回路基板
１０　　液晶表示素子
１０ａ　ＬＣＤ表示部（電圧印加部）
１０ｂ　ＬＣＤ非表示部（電圧非印加部）
１０ｃ　ＬＣＤ背景部（電圧非印加部）
１１　　ＬＣＤ駆動部
１２　　電池
１３　　液晶セル
１３ａ　上板ガラス
１３ｂ　下板ガラス
１４　　透過型偏光板
１４ａ　第１の透過型偏光板
１４ｂ　第２の透過型偏光板
１５　　カラー偏光板
１５ａ　第１のカラー偏光板
１５ｂ　第２のカラー偏光板
１６　　半透過反射板付偏光板
１７　　バックライト
１７ａ　バックライト
１８　　ＥＬ素子
１９　　ＬＥＤ
１９ａ　２色発光ＬＥＤ
１９ｂ　第１のＬＥＤ
１９ｃ　第２のＬＥＤ
２０　　導光板
２１　　反射板
２２　　紫外線発光素子
２２ａ　第１の紫外線発光素子
２２ｂ　第２の紫外線発光素子
２３　　発光体
２３ａ　第１の発光体
２３ｂ　第２の発光体
２４　　導光板
３０　　液晶表示素子
３１　　半透過反射板
３２　　メッシュパネル
４０　　液晶表示素子
１００、２００　腕時計（電子機器）
２Ａ　　バンド軸
Ｂ　　　時計バンド
【図１】
2004117819.tif 000003
【図２】
2004117819.tif 000004
【図３】
2004117819.tif 000005
【図４】
2004117819.tif 000006
【図５】
2004117819.tif 000007
【図６】
2004117819.tif 000008
【図７】
2004117819.tif 000009
【図８】
2004117819.tif 000010
【図９】
2004117819.tif 000011
【図１０】
2004117819.tif 000012
【図１１】
2004117819.tif 000013
【図１２】
2004117819.tif 000014
【図１３】
2004117819.tif 000015
【図１４】
2004117819.tif 000016
【図１５】
2004117819.tif 000017
【図１６】
2004117819.tif 000018
【図１７】
2004117819.tif 000019
【図１８】
2004117819.tif 000020
【図１９】
2004117819.tif 000021
【図２０】
2004117819.tif 000022
【図２１】
2004117819.tif 000023
【図２２】
2004117819.tif 000024